(57)【要約】【課題】生産設備からの完成品や不良品の取出しに際し、完成品や不良品の取出し作業をリアルタイムで効率的に行えるようにする。【解決手段】生産設備を管理するための管理装置１と、この管理装置１との間で通信を行う複数の携帯端末２ａ、２ｂとを具備する。携帯端末２ａ、２ｂは、管理装置１から受信した、生産設備からの製品の取出し情報を表示可能である。【選択図】      図１
2004341852.tif 000002
【特許請求の範囲】
【請求項１】
生産設備を管理する管理装置と、この管理装置との間で通信を行う複数の携帯端末とを具備し、前記携帯端末は、前記管理装置から受信した、生産設備からの製品の取出し情報を表示可能であることを特徴とする製品取出し支援システム。
【請求項２】
携帯端末はＧＰＳ機能を内蔵しており、管理装置は、前記携帯端末のＧＰＳ機能にもとづいて前記携帯端末の現在位置を検出するとともに、検出された携帯端末の現在位置と製品の取出し情報から、複数の携帯端末のうちの特定の形態端末を選択することを特徴とする請求項１記載の製品取出し支援システム。
【請求項３】
管理装置は、製品の取出し情報に、取り出した完成品の配送先情報を含む必要情報を付加して携帯端末に送信可能とされていることを特徴とする請求項１または２記載の製品取出し支援システム。
【請求項４】
製品が完成品と不良品とのいずれかであることを特徴とする請求項１から３までのいずれか１項記載の製品取出し支援システム。
【発明の詳細な説明】
【０００１】
【発明の属する技術分野】
本発明は生産工場の生産ラインなどにおける製品取出し支援システムに関する。
【０００２】
【従来の技術】
生産工場における完成品の取出し作業および不良品の取出し作業は、一般に次のようにして行っている。すなわち、生産ラインまたは生産工場ごとに集中表示装置または警報装置を設置し、オペレータが表示を見るまたは警報を聞くことにより完成品取出し作業および不良品取出し作業の必要性を認知して、作業を行っている。
【０００３】
また、取り出した完成品および不良品の配送先、取り扱いについては、オペレータがマニュアルを確認してから行っている。
このような従来技術が記載された文献として、たとえば特許文献１を挙げることができる。
【０００４】
【特許文献１】
特開平０７−１１６９４５号公報
【０００５】
【発明が解決しようとする課題】
上記に示したような従来のシステムでは、オペレータが表示を見るまたは警報を聞くことにより完成品取出し作業および不良品取出し作業の必要性を認知していたため、表示を見たときまたは警報を聞いたときしか取出し情報がわからない。このため、取出し作業のリアルタイム性を欠くことになる。
【０００６】
またオペレータの現在位置により表示が見えない場合や、周囲の環境により警報が聞こえない場合が発生し、そのような場合には取出し作業に遅れが発生することになる。
【０００７】
さらに、従来のシステムでは、完成品の配送先や、不良品のリペア情報および再投入情報などをリアルタイムに得ることができないため、完成品取出し作業および不良品取出し作業の効率が悪い。
【０００８】
そこで本発明は、完成品や不良品の取出しに際し、完成品や不良品の取出し作業をリアルタイムで効率的に行うことができるようにすることを目的とする。
【０００９】
【課題を解決するための手段】
この目的を達成するため本発明は、生産設備を管理するための管理装置と、この管理装置との間で通信を行う複数の携帯端末とを具備し、前記携帯端末は、前記管理装置から受信した、生産設備からの製品の取出し情報を表示可能であるようにしたものである。
【００１０】
このような構成であると、携帯端末に、完成品取出し情報、配送先、不良品取出し情報、不良品のリペア情報、再投入情報などを表示でき、それに従って、この携帯端末を所持したオペレータが完成品取出し作業や不良品取出し作業を行う際に、管理装置と携帯端末の間でリアルタイムで情報伝達を行うことができ、したがって効率的に作業することができる。
【００１１】
【発明の実施の形態】
請求項１に記載の本発明は、生産設備を管理するための管理装置と、この管理装置との間で通信を行う複数の携帯端末とを具備し、前記携帯端末は、前記管理装置から受信した、生産設備からの製品の取出し情報を表示可能としたものである。
【００１２】
このような構成であると、携帯端末を所持したオペレータが取出し作業を行う際に、携帯端末に取出し情報を表示することで、それに従って取出し作業をリアイタイムに行うことが可能となる。
【００１３】
請求項２に記載の本発明は、携帯端末がＧＰＳ機能を内蔵しており、管理装置が、前記携帯端末のＧＰＳ機能にもとづいて前記携帯端末の現在位置を検出するとともに、検出された携帯端末の現在位置と製品の取出し情報から、複数の携帯端末のうちの特定の形態端末を選択するようにしたものである。
【００１４】
このような構成であると、複数のオペレータが存在する場合に、各種取出し作業に最適なオペレータに製品の取出し通知を行うことで、最も効率的な作業を行うことが可能になる。
【００１５】
請求項３に記載の本発明は、管理装置が、製品の取出し情報に、取り出した完成品の配送先情報を含む必要情報を付加して携帯端末に送信可能とされているようにしたものである。
【００１６】
このような構成であると、各種取出し作業の効率を向上させることが可能となる。
【００１７】
請求項４に記載の本発明は、製品が完成品と不良品とのいずれかであるようにしたものである。
【００１８】
このような構成であると、携帯端末を所持したオペレータが完成品取出し作業を行う際に、携帯端末に完成品取出し情報、配送先などを表示することで、それに従って完成品取出し作業をリアイタイムで効率的に行うことが可能となり、また携帯端末を所持したオペレータが不良品取出し作業を行う際に、携帯端末に不良品取出し情報、不良品のリペア情報、再投入情報などを表示することで、それに従って不良品取出し作業をリアイタイムで効率的に行うことが可能となる。
【００１９】
以下、本発明の実施の形態について、図１および図２を用いて説明する。
図１において、６は生産工場における生産ラインで、４は完成品を取り出す装置、５は取り出した完成品を供給する供給先の装置である。１は管理装置としての集中管理装置で、生産ライン６または生産工場全体を集中管理するためのものである。３ａ、３ｂは、オペーレータ１、オペレータ２で、これらオペレータ３ａ、３ｂは、それぞれ生産ライン６からの完成品の取出しや不良品の取出しなどを行う。各オペレータ３ａ、３ｂは、それぞれ携帯端末２ａ、２ｂを所持している。各携帯端末２ａ、２ｂは、ＧＰＳ（全地球測位システム）機能を内蔵している。
【００２０】
次に、生産ライン６からの完成品の取出し作業について、図２にもとづいて説明する。その際には、完成品を取り出す装置４より集中管理装置１へ完成品取出し要求情報を入力する（Ｓ１）。集中管理装置１は、完成品取出し要求情報が入力した時点で、オペレータ３ａ、３ｂが所持している携帯端末２ａ、２ｂに内蔵されているＧＰＳ機能を利用して、各オペレータ３ａ、３ｂの現在位置を認識する（Ｓ２）。そして、集中管理装置１は、各オペレータ３ａ、３ｂの現在位置と、完成品取出し要求情報を発信している装置４の位置とから、完成品取出し作業を行うのに最適なオペレータ、すなわち装置４に最も近い位置のオペレータを選択する（Ｓ３）。たとえば図１に示すシステムでは、完成品取出し要求情報を発信している装置４に対する、オペーレータ３ａとオペーレータ３ｂの現在位置から、オペレータ３ａを選択する。また集中管理装置１は、オペレータに対する完成品取出し情報を作成するとともに、完成品取出し情報に、取出した完成品の配送先情報を付加する（Ｓ４）。図１の例では、取り出した完成品を供給する装置５の情報を付加する。そして、装置４より完成品を取出し、その取り出した完成品を装置５へ供給することを、オペレータ３ａが所持している携帯端末２ａにたとえば無線で送信して表示する（Ｓ５）。オペレータ３ａは、携帯端末２ａに表示されている情報にしたがって装置４より完成品を取り出し、取り出した完成品を装置５へ供給する（Ｓ６）。
【００２１】
このようなシステムであると、生産ラインや生産工場において、完成品の取出し作業をリアルタイムで効率的に行うことができる。なお、完成品のみならず、不良品についても、同様に生産ラインなどからの取出し作業をリアルタイムで効率的に行うことができる。
【００２２】
【発明の効果】
以上のように本発明によれば、完成品取出し作業および不良品取出し作業を、リアルタイムで効率的に行うための完成品取出し支援システムおよび不良品取出し支援システムを実現できる。
【図面の簡単な説明】
【図１】本発明の実施の形態の製品取出し支援システムの構成図である。
【図２】図１の製品取出し支援システムの動作を示すフローチャートである。
【符号の説明】
１    集中管理装置
２ａ、２ｂ    携帯端末
３ａ、３ｂ    オペレータ
６    生産ライン
【図１】
2004341852.tif 000003
【図２】
2004341852.tif 000004